(57)【要約】【課題】構造を複雑化すること無く荷扱い時の外箱の破損を防止し、荷扱い時の作業性に優れた梱包装置を提供することこと。【解決手段】四辺を折り曲げて形成したトレイ状の底板２に収めて被梱包物１の下部を支持する下部緩衝材３と、被梱包物１の上部を支持する上部緩衝材５を左右に配置し、上部の開口部の四辺に内フラップ６と外フラップ７を備え下部を開放した外箱８を被せ、外箱８の対向する外フラップ７双方の先端に設けた凸状部９と凹状部１０が互いに嵌め合うように折り曲げて外側にバンド１１を巻き付けて被梱包物１を支持することで、封函面がフラットとなり、積み込みや積み降ろし等の輸送時に荷扱いを行う際に梱包装置の外側に巻き付けているバンド等に引っ掛かることなく荷扱い作業が行え、荷扱い時の作業性に優れ外箱の破れを防止する効果を得ることができ品質の向上が図れる。【選択図】図１
2006282258.tif 000002
【特許請求の範囲】
【請求項１】
四辺を折り曲げて形成したトレイ状の底板と、前記底板に収めて被梱包物の下部を支持する下部緩衝材と、前記被梱包物の上部を支持する上部緩衝材を左右に配置し、上部の開口部の四辺に内フラップと外フラップを備え下部を開放した外箱を被せ、前記底板と前記外箱の外側にバンドを巻き付けて分離型空気調和機室外機を支持する梱包装置であって、前記外箱の対向する前記外フラップ双方の先端に互いに嵌め合う凸状部と凹状部を設けてなることを特徴とする梱包装置。
【請求項２】
対向する外フラップ双方先端の凸状部と凹状部を所定の間隔で複数設けたことを特徴とする請求項１に記載の梱包装置。
【請求項３】
対向する外フラップ双方先端の凸状部と凹状部は、凸状の先端が狭く根元部が広くなるようなテーパ状に形成したことを特徴とする請求項１または２に記載の梱包装置。
【発明の詳細な説明】
【技術分野】
【０００１】
本発明は分離型空気調和機の室外機の梱包に用いられる梱包装置に関するものである。
【背景技術】
【０００２】
従来、この種の梱包装置は箱状に形成された底板と、この底板の内部左右に配置して被梱包物を支持する下部緩衝材と、被梱包物の上部左右に被せて角隅部を衝撃等から保護する一対の上部緩衝材と、下部を底板の内角面と下部緩衝材の間に挿入し、上部内面を対応する上部緩衝材の外角面に当接させるようにした断面Ｌ字状のコーナー補強板を配置し、上部緩衝材の上面に折り曲げられる内フラップと外フラップとを備えた外箱を被せてなり、この外箱には対向する外フラップ双方の先端に、同外フラップ同士の上面を交互に押える凸状部が設けられ、この凸状部が交互に重なるようにして折り曲げられ外側にバンドを巻き付けて結束され梱包を完成させるものであった（例えば、特許文献１参照）。
【０００３】
図５は、特許文献１に記載された従来の梱包装置の分解斜視図を示すものである。図５に示すように、箱状に形成された底板２と、下部緩衝材３と、上部緩衝材５と、断面Ｌ字状のコーナー補強板１２と、内フラップ１３と外フラップ１４とを備えた外箱８と、バンド１１から構成され、対向する外フラップ１４双方の先端に、同外フラップ１４同士の上面を交互に押える凸状部１５が設けられている。
【特許文献１】特開２００３−２３７８７７号公報
【発明の開示】
【発明が解決しようとする課題】
【０００４】
しかしながら、前記従来の構成では、外フラップ１４双方の先端に設けられた凸状部１５が交互に押え合うようにして外箱８の上部封函を行う構成であるため、それぞれの凸状部が重なり合っているために段差が形成され、積み込みや積み降ろし等の輸送時に荷扱いを行う際に凸状部に梱包装置の外側に巻き付けているバンドが引っ掛かり作業性を悪くする課題を有していた。
【０００５】
さらには、凸状部が破れたりして外観を損なうだけでなく、発生した隙間から埃等が入り、内部を汚す恐れがあるという課題を有していた。
【０００６】
本発明は、前記従来の課題を解決するもので、構造を複雑化すること無く荷扱い時の外箱の破損を防止し、荷扱い時の作業性に優れた梱包装置を提供することを目的とする。
【課題を解決するための手段】
【０００７】
前記従来の課題を解決するために、本発明の梱包装置は、外箱の対向する外フラップ双方の先端に互いに嵌め合う凸状部と凹状部を設けてバンドによりそれぞれの凸状部と凹状部を押さえ込むものである。
【０００８】
これによって、封函面がフラットとなる構造となるため、積み込みや積み降ろし等の輸送時に荷扱いを行う際に梱包装置の外側に巻き付けているバンド等に引っ掛かることなく荷扱い作業が行うことができる。
【発明の効果】
【０００９】
本発明の梱包装置は、構造を複雑化すること無く荷扱い時の外箱の破損を防止し、荷扱い時の作業性に優れ、また外観を損なわず、内部を汚す恐れがない梱包装置を提供することができる。
【発明を実施するための最良の形態】
【００１０】
第１の発明は、四辺を折り曲げて形成したトレイ状の底板に収めて被梱包物の下部を支持する下部緩衝材と、被梱包物の上部を支持する上部緩衝材を左右に配置し、上部の開口部の四辺に内フラップと外フラップを備え下部を開放した外箱を被せ、外箱の対向する外フラップ双方の先端に互いに嵌め合う凸状部と凹状部を設け、外箱外側に縦方向にバンドを巻き付けることでそれぞれの凸状部と凹状部を押さえる構造になるため、封函面がフラットとなり、積み込みや積み降ろし等の輸送時に荷扱いを行う際に梱包装置の外側に巻き付けているバンド等に引っ掛かることなく荷扱い作業が行え、荷扱い時の作業性に優れ外箱の破れを防止する効果を得ることができ品質の向上が図れる。また、テープなどの補助材料で封函する必要がなく被梱包物の梱包時および廃棄時の作業性を向上することができる。
【００１１】
第２の発明は、特に、第１の発明の対向する外フラップ双方先端の凸状部と凹状部を所定の間隔で複数設けることにより、外フラップ双方の突合せ部を均等にバンドで押さえる構造であるため、外箱の破れを防止する効果を向上することができる。また、突合せ部が増えることでかかる力が分散し、梱包強度が大きくなる。
【００１２】
第３の発明は、特に、第１または第２の発明の対向する外フラップ双方先端の凸状部と凹状部を凸状の先端が狭く根元部が広くなるようなテーパ状に形成することにより、バンド等が引っ掛かる抵抗が軽減される構造となり、荷扱い時の作業性に優れ、外箱の破れを防止する効果が向上することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における梱包装置の分解斜視図、図２は、本発明の第１の実施の形態における梱包装置の（ａ）は外箱の斜視図、（ｂ）は外箱の平面図を示すものである。
【００１５】
図１において、四辺を折り曲げて形成したダンボール等からなるトレイ状の底板２に被梱包物１の下部を支持する下部緩衝材３が接着などにて固定されており、被梱包物１はこの下部緩衝材３の上に配置されてほこりなどから被梱包物１を保護する袋４が被せられ、上部には一対の上部緩衝材５を左右に配置して被梱包物１を支持し、上部の開口部の四辺に内フラップ６と外フラップ７を備え下部を開放した外箱８を被せられる。
【００１６】
この外箱８の対向する外フラップ７双方の先端には互いに嵌め合う凸状部９と凹状部１０が設けられている。
【００１７】
以上のように構成された梱包装置について、以下その動作、作用を説明する。
【００１８】
まず、内フラップを上部緩衝材の上に折り曲げ、最後に外フラップを同外フラップに設けられた凸状部と凹状部が互いに嵌め合うように折り曲げて外側に横方向と縦方向の双方にバンドを巻き付けて結束し梱包を完成している。
【００１９】
この構成によって、バンドによりそれぞれの凸状部と凹状部を押さえる構造になるため、テープなどの補助材料で封函する必要がなく被梱包物の梱包時および廃棄時の作業性を向上することができる。さらには、凸状部と凹状部が互いに嵌め合わされているので封函面がフラットとなる構造になるため、積み込みや積み降ろし等の輸送時に荷扱いを行う際
に梱包装置の外側に巻き付けているバンド等に引っ掛かることなく荷扱い作業が行え、外箱の破れを防止する効果を得ることができ品質の向上が図れる。
【００２０】
以上のように、本実施の形態においては被梱包物上下角部を保護する緩衝材と、トレイ状の底板と、上部の開口部の四辺に内フラップと外フラップを備え下部を開放した外箱とからなる梱包装置であって、外箱の対向する外フラップ双方の先端には互いに嵌め合う凸状部と凹状部を設けることにより、凸状部と凹状部が互いに嵌め合うように折り曲げて更に外側にバンドを巻き付けて結束しそれぞれの凸状部と凹状部を押さえる構造の梱包となるため、封函面がフラットとなり、荷扱時にバンド等に引っ掛かることなく荷扱い作業が行え、外箱の破れを防止する効果を得ることができ品質の向上を図ることができる。
【００２１】
また、図３の本発明の第１の実施の形態における梱包装置の外箱の斜視図に示すように、本実施の形態の対向する外フラップ双方先端の凸状部と凹状部を所定の間隔で複数設けることにより、外フラップ双方の突合せ部を均等にバンドで押さえる構造であるため、外箱の破れを防止する効果を向上することができる。また、突合せ部が増えることでかかる力が分散し、梱包強度が大きくなる。
【００２２】
また、図４の本発明の第１の実施の形態における梱包装置の外箱の斜視図に示すように、本実施の形態の対向する外フラップ双方先端の凸状部と凹状部を凸状の先端が狭く根元部が広くなるようなテーパ状に形成することにより、バンド等が引っ掛かる抵抗が軽減される構造となり、荷扱い時の作業性に優れ、外箱の破れを防止する効果が向上することができる。
【産業上の利用可能性】
【００２３】
以上のように、本発明にかかる梱包装置は、構造を複雑化すること無く荷扱い時の外箱の破損を防止し、荷扱い時の作業性に優れたもので、バンドを用いて梱包を行う製品の梱包装置の用途にも適用できる。
【図面の簡単な説明】
【００２４】
【図１】本発明の実施の形態１における梱包装置の分解斜視図
【図２】本発明の実施の形態１における梱包装置の（ａ）外箱の斜視図（ｂ）外箱の平面図
【図３】本発明の実施の形態１における梱包装置の外箱の斜視図
【図４】本発明の実施の形態１における梱包装置の外箱の斜視図
【図５】従来の梱包装置の分解斜視図
【符号の説明】
【００２５】
１  被梱包物
２  底板
３  下部緩衝材
４  袋
５  上部緩衝材
６  内フラップ
７  外フラップ
８  外箱
９  凸状部
１０  凹状部
１１  バンド
１２  コーナー補強板
１３  内フラップ
１４  外フラップ
１５  凸状部
【図１】
2006282258.tif 000003
【図２】
2006282258.tif 000004
【図３】
2006282258.tif 000005
【図４】
2006282258.tif 000006
【図５】
2006282258.tif 000007